(57)【要約】  照明装置は、筺体と、筺体の表面に配置された透明フレキシブル基板と、透明フレキシブル基板に実装された少なくとも一つの光源と、筺体と透明フレキシブル基板との間に位置する反射層を有する。この構成によると、透明フレキシブル基板に入射する光は、透明フレキシブル基板を透過し、反射層によって反射される。その反射光は、透明フレキシブル基板を再び透過して、照明対象へ照射される。フレキシブル基板や筺体による光の吸収が防止されるので、照明装置は高い照度を有する。
2014010072.tif 000002
【特許請求の範囲】
【請求項１】
筺体と、
前記筺体の表面に配置された透明フレキシブル基板と、
前記透明フレキシブル基板に実装された少なくとも一つの光源と、
前記筺体と前記透明フレキシブル基板との面の間に位置し、前記透明フレキシブル基板を透過した光を反射する反射層と、
を備える照明装置。
【請求項２】
前記透明フレキシブル基板は、少なくとも前記光源が発する可視光域の光に対して、８０パーセント以上の透過率を有することを特徴とする請求項１に記載の照明装置。
【請求項３】
前記反射層は、前記筺体の表面に形成された被膜であることを特徴とする請求項１又は２に記載の照明装置。
【請求項４】
前記筺体は、開口部を有するとともに、開口部の中心軸に対して回転対称の形状を有する内側表面を有し、
前記透明フレキシブル基板は、前記筺体の内側表面に配置されていることを特徴とする請求項１から３のいずれか一項に記載の照明装置。
【請求項５】
前記光源は、発光ダイオードであることを特徴とする請求項１から４のいずれか一項に記載の照明装置。
【発明の詳細な説明】
【技術分野】
【０００１】
ここで開示する技術は、照明装置に関する。
【背景技術】
【０００２】
特開２００２−１８４２０９号公報に、照明装置が記載されている。この照明装置は、筺体と、筺体の表面に配置されたフレキシブル基板と、前記フレキシブルに実装された複数の発光ダイオードを有する。フレキシブル基板の発光ダイオードが実装された表面は、白色又はメタリック色で塗装されており、発光ダイオードの光を反射する反射面となっている。
【発明の概要】
【発明が解決しようとする課題】
【０００３】
フレキシブル基板に白色又はメタリック色の塗装を施すと、発光ダイオードの発した光がフレキシブル基板によって吸収されることが防止される。従って、照明装置の照度を向上することができる。しかしながら、このような構成では、フレキシブル基板の発光ダイオードが実装される表面（以下、単に表側表面ということがある）に、塗装膜を形成しなければならない。フレキシブル基板の表側表面には、発光ダイオードに接続される複数の端子が設けられている。それらの端子に塗料が付着すれば、発光ダイオードとの間で接続不良が生じてしまう。そのことから、従来の構成では、これらの端子を避けながら、細かい塗装作業を行わなければならない。【０００４】
上記の問題を考慮し、ここでは、製造の簡単な構成で照明装置の照度を向上する技術を開示する。
【課題を解決するための手段】
【０００５】
本技術では、光源を実装するフレキシブル基板に、透明フレキシブル基板を採用する。透明フレキシブル基板を採用することで、筺体と透明フレキシブル基板との間に反射層を配置することが可能となる。即ち、フレキシブル基板の表側表面、即ち、発光ダイオードが実装される表面に、反射層を形成する必要がない。従って、この照明装置の製造は容易に行うことができる。【０００６】
本技術の一実施形態では、照明装置が、筺体と、筺体の表面に配置された透明フレキシブル基板と、透明フレキシブル基板に実装された少なくとも一つの光源と、筺体と透明フレキシブル基板との間に位置する反射層を有する。この構成によると、透明フレキシブル基板に入射する光は、透明フレキシブル基板を透過し、反射層によって反射される。反射光は、透明フレキシブル基板を再び透過し、照明対象に向けて照射される。フレキシブル基板や筺体による光の吸収が防止されるので、照明装置の照度を向上することができる。
【図面の簡単な説明】
【０００７】
【図１】実施例１の照明装置１０を示す模式図。
【図２】実施例１の照明装置１０の回路構造を示すブロック図。
【図３】実施例１の照明装置１０の断面を示す模式図。
【図４】実施例２の照明装置１１０を示す模式図。
【発明を実施するための形態】
【０００８】
本技術の一実施形態では、透明フレキシブル基板が、少なくとも光源が発する可視光域の光に対して、８０パーセント以上、より好ましくは９０パーセント以上の透過率を有するとよい。
【０００９】
本技術の一実施形態では、反射層が、白色、淡色又はメタリック色の塗料による塗装膜とすることができる。ただし、反射層は、金属材料によるメッキ層であってもよい。これらの塗装膜又はメッキ層は、透明フレキシブル基板の裏側表面に設けてもよいし、透明フレキシブル基板が配置された筺体の表面に設けてもよい。
【００１０】
本技術の一実施形態では、反射層が、筺体の表面に形成された被膜であることが好ましい。柔軟な透明フレキシブル基板の裏側表面よりも、一定の強度を有する筺体の表面の方が、反射層を形成しやすいからである。あるいは、筺体の材質を白色、淡色又はメタリック色のものにするなどして、表面自体を反射面とすることもできる。この場合は、筺体の表層部が、筺体と透明フレキシブル基板との間に位置する反射層とみなされる。
【００１１】
本技術の一実施形態では、反射層が、筺体と透明フレキシブル基板の間に配置されたシート部材であってもよい。この場合、シート部材は、白色、淡色又はメタリック色であることが好ましい。シート部材の材料は、例えば紙材料、樹脂材料、ゴム材料、金属材料のいずれであってもよく、特に限定されない。
【００１２】
本技術の一実施形態では、筺体が、開口部を有するとともに、開口部の中心軸に対して回転対称の形状を有する内側表面を有することが好ましい。この場合、透明フレキシブル基板は、その筺体の内側表面に配置されていることが好ましい。この構成によると、光源の発する光の多くを、開口部から照明対象に向けて照射することができる。ただし、筺体の構成や形状は特に限定されない。筺体は、曲板状、平板状又はその他の形状であってもよい。
【００１３】
本技術の一実施形態では、光源が、発光ダイオードであることが好ましい。光源として発光ダイオードを採用すると、照明装置の消費電力を有意に削減することができる。ここで、発光ダイオードの色は、特に限定されず、例えば赤色、青色、緑色、白色であってもよい。
【実施例１】
【００１４】
図面を参照して、実施例１の照明装置１０について説明する。本実施例の照明装置１０は、一例ではあるが、回路基板に電子部品を実装する実装機などの産業用機器に用いられる。例えば実装機では、吸着ノズルに吸着された電子部品をカメラによって撮影し、吸着ノズルに対して電子部品が正しく保持されているのか否かを検査している。本実施例の照明装置１０は、その撮影対象であるノズル及び電子部品を照明するために装備されている。ただし、本実施例の照明装置１０は、産業用機器に限られず、様々な装置において広く採用することができる。【００１５】
図１に示すように、照明装置１０は、筺体１２と、筺体１２を支持するベース部２０を有している。ベース部２０には、複数対の電力入力端子２２、２４が設けられている。筺体１２は、開口部１２ｂを有する中空部材である。開口部１２ｂは、ベース部２０とは反対側に位置している。筺体１２の内側表面１２ａは、開口部１２ｂの中心軸に対して回転対称の形状を有している。筺体１２の内側表面１２ａは、開口部１２ｂからベース部２０に沿って、内側に向けて湾曲している。簡単に言えば、筺体１２の内側表面１２ａは、概してすり鉢の形状を有している。本実施例の筺体１２は、樹脂材料で形成されている。ただし、筺体１２は、樹脂材料に限られず、金属やその他の材料で形成することもできる。なお、本実施例の筺体１２は、一例ではあるが、周方向に配置された８つのセグメントによって構成されている。【００１６】
図１に示すように、照明装置１０は、複数の透明フレキシブル基板１６を有している。複数の透明フレキシブル基板１６は、筺体１２の各セグメントの内側表面１２ａにそれぞれ配置されている。透明フレキシブル基板１６は、例えばポリエチレンテレプタラート（ＰＥＴ）、ポリエチレンナフタレート（ＰＥＮ）、その他の透明な樹脂材料で形成することができる。本実施例の透明フレキシブル基板１６は、実質的に無色透明であり、可視光域の光に対して９０パーセント以上の透過率を有する。【００１７】
透明フレキシブル基板１６には、照明装置１０の光源である複数の発光ダイオード１８が実装されている。複数の発光ダイオード１８は、透明フレキシブル基板１６に沿って等間隔で配列されている。なお、照明装置１０の光源は発光ダイオードに限定されず、他の発光体であってもよい。また、光源が発する光の色も特に限定されない。但し、前記した透明フレキシブル基板１６は、照明装置１０の光源が発する可視光域の光に対して、８０パーセント以上、好ましくは９０パーセント以上の透過率を有するとよい。【００１８】
図２は、照明装置１０の回路構成を示すブロック図である。図２に示すように、各々の透明フレキシブル基板１６には、プリント配線２６と複数の端子２８が設けられている。各々の端子２８は、プリント配線２６上に設けられているとともに、対応する一つの発光ダイオード１８と電気的に接続されている。プリント配線２６は、複数の発光ダイオード１８を直列に接続するとともに、それらの複数の発光ダイオード１８を一対の電力入力端子２２、２４へ電気的に接続している。プリント配線２６及び端子２８は、例えば、銅やその他の導電性材料で形成することができる。なお、プリント配線２６及び端子２８は、酸化インジウムスズ（ＩＴＯ）といった透明な導電性材料で形成してもよい。また、プリント配線２６は、複数の発光ダイオード１８を並列に接続するものであってもよい。【００１９】
図３は、筺体１２と透明フレキシブル基板１６との積層構造を示す断面図である。図３に示すように、透明フレキシブル基板１６は、複数の発光ダイオード１８が実装された表側表面１６ａと、筺体１２の内側表面１２ａに対向する裏側表面１６ｂを有する。前述したプリント配線２６や端子２８は、透明フレキシブル基板１６の表側表面１６ａに設けられている。筺体１２と透明フレキシブル基板１６との間には、反射層１４が設けられている。反射層１４は、透明フレキシブル基板１６を透過した光を反射する。本実施例の反射層１４は、白色又はメタリック色の塗装膜であり、筺体１２の内側表面１２ａに形成されている。ただし、反射層１４は、光を反射できるものであればよく、その構成や材質については特に限定されない。【００２０】
図３に示すように、発光ダイオード１８の光や、照明対象で反射された光は、透明フレキシブル基板１６に入射する（図３中の矢印Ｘ参照）。透明フレキシブル基板１６への入射光Ｘは、透明フレキシブル基板１６を透過し、反射層１４によって反射される（図３中の矢印Ｙ参照）。この反射光Ｙは、透明フレキシブル基板１６を再び透過し、照明対象に照射される。このように、発光ダイオード１８の発した光の多くが照明対象に照射されることから、照明装置１０は照明対象をより強く照明することができる。【００２１】
本実施例の照明装置１０では、透明フレキシブル基板１６が採用され、筺体１２と透明フレキシブル基板１６との間に反射層１４が配置されている。この構成によれば、反射層１４を、筺体１２の内側表面１２ａや、透明フレキシブル基板１６の裏側表面１６ｂに形成することができる。前述したように、透明フレキシブル基板１６の表側表面１６ａには、プリント配線２６や複数の端子２８が形成されている。そのような表側表面１６ａに反射層１４を形成する必要がないので、照明装置１０の製造は容易に行うことができる。【００２２】
本実施例の反射層１４は、白色又はメタリック色の塗装膜であったが、反射層１４は光を反射し得る他の色の塗装膜であってもよい。特に、反射層１４の色は、発光ダイオード１８の発する光の色に応じて選択するよい。例えば、発光ダイオード１８が赤色光を発する場合、反射層１４は赤色系であってもよい。また、反射層１４は、塗装膜に限定されず、筺体１２と透明フレキシブル基板１６の間に介在させた金属箔その他のシート材であってもよい。
【実施例２】
【００２３】
図４を参照して、実施例２の照明装置１１０について説明する。図４に示すように、照明装置１１０は、実施例１と同様に、筺体１１２と、筺体１１２の表面に配置された透明フレキシブル基板１１６と、透明フレキシブル基板１１６に実装された複数の発光ダイオード１１８と、筺体１１２と透明フレキシブル基板１１６との面の間に位置し、透明フレキシブル基板１１６を透過した光を反射する反射層１１４を有している。透明フレキシブル基板１１６には、各々の発光ダイオード１１８を一対の電力入力端子１２２、１２４へ電気的に接続するプリント配線（図示省略）が形成されている。【００２４】
本実施例では、筺体１１２が平板形状を有しており、この点において実施例１の照明装置１０と異なっている。その他の構成については、実施例１の照明装置１０と同様である。筺体１２、１１２の形状は、照明する目的や対象に応じて、様々に変更することができる。【００２５】
以上、本発明の具体例を詳細に説明したが、これらは例示にすぎず、請求の範囲を限定するものではない。請求の範囲に記載の技術には、以上に例示した具体例を様々に変形、変更したものが含まれる。【００２６】
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【符号の説明】
【００２７】
１０、１１０：照明装置
１２、１１２：筺体
１４、１１４：反射層
１６、１１６：透明フレキシブル基板
１８、１１８：発光ダイオード
２６：プリント配線
２８：端子
【図１】
2014010072.tif 000003
【図２】
2014010072.tif 000004
【図３】
2014010072.tif 000005
【図４】
2014010072.tif 000006
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
筺体と、
前記筺体の表面に配置された透明フレキシブル基板と、
前記透明フレキシブル基板に実装された少なくとも一つの光源と、
前記筺体と前記透明フレキシブル基板との面の間に位置し、前記透明フレキシブル基板を透過した光を反射する反射層と、
を備え、
前記反射層は、前記筺体の表面に形成された被膜であることを特徴とする照明装置。
【請求項２】
前記透明フレキシブル基板は、少なくとも前記光源が発する可視光域の光に対して、８０パーセント以上の透過率を有することを特徴とする請求項１に記載の照明装置。
【請求項３】
前記被膜は、前記筺体の表面に形成された塗装膜又はメッキ層であることを特徴とする請求項１又は２に記載の照明装置。
【請求項４】
前記筺体は、開口部を有するとともに、開口部の中心軸に対して回転対称の形状を有する内側表面を有し、
前記透明フレキシブル基板は、前記筺体の内側表面に配置されていることを特徴とする請求項１から３のいずれか一項に記載の照明装置。
【請求項５】
前記光源は、発光ダイオードであることを特徴とする請求項１から４のいずれか一項に記載の照明装置。
【請求項６】
前記透明フレキシブル基板には、前記光源に電気的に接続されているとともに透明な導電性材料で形成されたプリント配線が形成されていることを特徴とする請求項１から５のいずれか一項に記載の照明装置。
【請求項７】
前記光源が発する光は赤色、青色、緑色、白色のいずれかであって、
前記反射層の色は、前記光源が発する光と同系色であることを特徴とする請求項１から６のいずれか一項に記載の照明装置。
【請求項８】
前記筺体の表面は、湾曲していることを特徴とする請求項１から７のいずれか一項に記載の照明装置。
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
回路基板に電子部品を実装する実装機においてノズル及び電子部品を照明する照明装置であって、
筺体と、
前記筺体の表面に配置された透明フレキシブル基板と、
前記透明フレキシブル基板に実装された少なくとも一つの光源と、
前記筺体と前記透明フレキシブル基板との面の間に位置し、前記透明フレキシブル基板を透過した光を反射する反射層と、
を備え、
前記反射層は、前記筺体の表面に形成された被膜であり、
前記光源が発する光は赤色、青色、緑色のいずれかであって、前記反射層の色は、前記光源が発する光と同系色であることを特徴とする照明装置。
【請求項２】
前記透明フレキシブル基板は、少なくとも前記光源が発する可視光域の光に対して、８０パーセント以上の透過率を有することを特徴とする請求項１に記載の照明装置。
【請求項３】
前記被膜は、前記筺体の表面に形成された塗装膜又はメッキ層であることを特徴とする請求項１又は２に記載の照明装置。
【請求項４】
前記筺体は、開口部を有するとともに、開口部の中心軸に対して回転対称の形状を有する内側表面を有し、
前記透明フレキシブル基板は、前記筺体の内側表面に配置されていることを特徴とする請求項１から３のいずれか一項に記載の照明装置。
【請求項５】
前記光源は、発光ダイオードであることを特徴とする請求項１から４のいずれか一項に記載の照明装置。
【請求項６】
前記透明フレキシブル基板には、前記光源に電気的に接続されているとともに透明な導電性材料で形成されたプリント配線が形成されていることを特徴とする請求項１から５のいずれか一項に記載の照明装置。
【請求項７】
前記筺体の表面は、湾曲していることを特徴とする請求項１から６のいずれか一項に記載の照明装置。
【手続補正２】
【補正対象書類名】明細書
【補正対象項目名】０００１
【補正方法】変更
【補正の内容】
【０００１】
ここで開示する技術は、照明装置に関し、特に、回路基板に電子部品を実装する実装機においてノズル及び電子部品を照明する照明装置に関する。
【手続補正３】
【補正対象書類名】明細書
【補正対象項目名】０００６
【補正方法】変更
【補正の内容】
【０００６】
本技術の一実施形態では、照明装置が、筺体と、筺体の表面に配置された透明フレキシブル基板と、透明フレキシブル基板に実装された少なくとも一つの光源と、筺体と透明フレキシブル基板との間に位置する反射層を有する。この構成によると、透明フレキシブル基板に入射する光は、透明フレキシブル基板を透過し、反射層によって反射される。反射光は、透明フレキシブル基板を再び透過し、照明対象に向けて照射される。フレキシブル基板や筺体による光の吸収が防止されるので、照明装置の照度を向上することができる。反射層は、筺体の表面に形成された被膜とすることができる。この照明装置は、回路基板に電子部品を実装する実装機において、ノズル及び電子部品を照明するために用いられる。そして、光源が発する光は赤色、青色、緑色のいずれかであって、反射層の色は、その光源が発する光と同系色とすることができる。
【国際調査報告】
2014010072.tif 000007
2014010072.tif 000008
2014010072.tif 000009
2014010072.tif 000010